(57)【要約】【課題】テレビ広告などの動画広告とネット広告とによる相乗効果を期待することのできる広告配信装置、広告配信方法、広告配信プログラムおよび情報処理プログラムを提供すること。【解決手段】実施形態に係る広告配信装置は、受付部と、配信部とを有する。受付部は、動画広告の再生が可能な端末装置から広告コンテンツの配信要求を受け付ける。配信部は、配信要求を行った端末装置に対して、動画広告と同時に端末装置に表示する広告コンテンツを端末装置に配信する。広告コンテンツは、インターネット広告関連コンテンツにリンクした広告コンテンツであって当該広告コンテンツに対して所定の操作が行われると、リンク先であるインターネット広告関連コンテンツが端末装置に表示される。【選択図】図１
2018201213.tif 000002
【特許請求の範囲】
【請求項１】
動画広告の再生が可能な端末装置から広告コンテンツの配信要求を受け付ける受付部と、
前記配信要求を行った端末装置に対して、前記動画広告と同時に前記端末装置に表示する広告コンテンツを前記端末装置に配信する配信部と、
を備え、
前記広告コンテンツは、
インターネット広告関連コンテンツにリンクした広告コンテンツであって当該広告コンテンツに対して所定の操作が行われると、リンク先である前記インターネット広告関連コンテンツが前記端末装置に表示される
ことを特徴とする広告配信装置。
【請求項２】
コンピュータが実行する広告配信方法であって、
動画広告の再生が可能な端末装置から広告コンテンツの配信要求を受け付ける受付工程と、
前記配信要求を行った端末装置に対して、前記動画広告と同時に前記端末装置に表示する広告コンテンツを前記端末装置に配信する配信工程と、
を含み、
前記広告コンテンツは、
インターネット広告関連コンテンツにリンクした広告コンテンツであって当該広告コンテンツに対して所定の操作が行われると、リンク先である前記インターネット広告関連コンテンツが前記端末装置に表示される
ことを特徴とする広告配信方法。
【請求項３】
コンピュータに、
動画広告の再生が可能な端末装置から広告コンテンツの配信要求を受け付ける受付手順と、
前記配信要求を行った端末装置に対して、前記動画広告と同時に前記端末装置に表示する広告コンテンツを前記端末装置に配信する配信手順と、
を実行させる広告配信プログラムであって、
前記広告コンテンツは、
インターネット広告関連コンテンツにリンクした広告コンテンツであって当該広告コンテンツに対して所定の操作が行われると、リンク先である前記インターネット広告関連コンテンツが前記端末装置に表示される
ことを特徴とする広告配信プログラム。
【請求項４】
動画広告の再生が可能な端末装置が備える制御部に、
広告コンテンツを取得する広告コンテンツ取得手順と、
前記動画広告と同時に前記広告コンテンツを表示部へ再生表示する広告表示処理手順と、
を実行させる情報処理プログラムであって、
前記広告コンテンツは、
インターネット広告関連コンテンツにリンクした広告コンテンツであって当該広告コンテンツに対して所定の操作が行われると、リンク先である前記インターネット広告関連コンテンツが前記端末装置に表示される
ことを特徴とする情報処理プログラム。
【発明の詳細な説明】
【技術分野】
【０００１】
本発明は、広告配信装置、広告配信方法、広告配信プログラムおよび情報処理プログラムに関する。
【背景技術】
【０００２】
従来、商品やサービスの販売促進やブランディング（branding）などを目的として、テレビ放送番組にテレビ広告である動画広告を挿入することは古くから行われている。他方、近年ではインターネットの普及に伴い、動画配信サービスにおいて配信される動画コンテンツにネット広告である広告コンテンツを挿入することも一般的になってきている。
【０００３】
また、広告効果をより高めるために、テレビ視聴者に視聴されたテレビ広告と関連したネット広告を、テレビ視聴者の所有する携帯端末に配信する技術も知られている（例えば、特許文献１を参照）。これにより、テレビ視聴者に対し、視聴したテレビ広告に関連するネット広告を携帯端末で改めて閲覧させることができるため、より消費欲求を高める可能性がある。
【先行技術文献】
【特許文献】
【０００４】
【特許文献１】特開２００９−１４０２５５号公報
【発明の概要】
【発明が解決しようとする課題】
【０００５】
しかしながら、上記従来技術では、テレビ広告とネット広告とによる相乗効果を適切に発揮することができないおそれがある。
【０００６】
本願は、上記に鑑みてなされたものであって、テレビ広告などの動画広告とネット広告とによる相乗効果を期待することのできる広告配信装置、広告配信方法、広告配信プログラムおよび情報処理プログラムを提供することを目的とする。
【課題を解決するための手段】
【０００７】
本願に係る広告配信装置は、受付部と、配信部とを有する。受付部は、動画広告の再生が可能な端末装置から広告コンテンツの配信要求を受け付ける。配信部は、前記配信要求を行った端末装置に対して、前記動画広告と同時に前記端末装置に表示する広告コンテンツを前記端末装置に配信する。前記広告コンテンツは、インターネット広告関連コンテンツにリンクした広告コンテンツであって当該広告コンテンツに対して所定の操作が行われると、リンク先である前記インターネット広告関連コンテンツが前記端末装置に表示される。
【発明の効果】
【０００８】
実施形態の一態様によれば、たとえばテレビ広告などの動画広告と、ネット広告などの広告コンテンツとによる相乗効果を期待することができる。
【図面の簡単な説明】
【０００９】
【図１】図１は、実施形態に係る情報処理装置の情報処理を示す説明図である。
【図２】図２は、実施形態に係る情報処理装置の構成例を示す説明図である。
【図３】図３は、動画コンテンツの一例を示す説明図である。
【図４Ａ】図４Ａは、ネット広告テーブルの一例を示す図である。
【図４Ｂ】図４Ｂは、ネット広告テーブルの他の例を示す図である。
【図５Ａ】図５Ａは、広告コンテンツの表示形態の一例を示す説明図である。
【図５Ｂ】図５Ｂは、広告コンテンツの表示形態の一例を示す説明図である。
【図６】図６は、実施形態に係る情報処理装置の処理の一例を示すフローチャートである。
【図７】図７は、他の実施形態に係る情報処理装置の構成例を示す説明図である。
【図８Ａ】図８Ａは、他の実施形態に係る情報処理装置における処理の一例を示すフローチャートである。
【図８Ｂ】図８Ｂは、ネット広告取得処理の一例を示すフローチャートである。
【図８Ｃ】図８Ｃは、ネット広告関連コンテンツ表示処理の一例を示すフローチャートである。
【図９】図９は、情報処理装置の機能を実現するコンピュータの一例を示すハードウェア構成図である。
【発明を実施するための形態】
【００１０】
以下に、本願に係る広告配信装置、広告配信方法、広告配信プログラムおよび情報処理プログラムの実施形態について図面を参照しつつ詳細に説明する。なお、この実施形態により本願に係る広告配信装置、広告配信方法、広告配信プログラムおよび情報処理プログラムが限定されるものではない。
【００１１】
［１．情報処理］
まず、実施形態に係る情報処理装置による情報処理を、広告配信装置による処理として図１を用いて説明する。図１は、実施形態に係る情報処理装置による情報処理を示す説明図である。
【００１２】
図１に示すように、実施形態に係る情報処理システムは、それぞれ通信ネットワーク４を介して接続される広告配信装置１と、端末装置２と、サーバ３とを含む。なお、図示してはいないが、端末装置２やサーバ３は、通信ネットワーク４にそれぞれ複数接続されている。
【００１３】
図示するように、端末装置２は、通信ネットワーク４を介して取得した所定の動画コンテンツを、当該端末装置２の表示部であるディスプレイ２０上で再生することができる。なお、端末装置２は、例えばスマートフォンなどの携帯端末とすることができる。
【００１４】
動画コンテンツの一例としては、例えば録画された所定のＴＶ番組や、オンデマンドで配信されるなどであり、所定の動画広告５１が含まれている。かかる動画広告５１の一例としては、例えばＴＶ番組スポンサーによるテレビ広告などであり、ここでは、図示するように、○△自動車が提供する広告としている。かかるＴＶ番組スポンサーなどの動画広告５１は、動画コンテンツに埋め込まれていることが多いが、例えば、オンデマンドで配信される場合は、配信の都度に選択されて動画コンテンツの中に挿入される場合もある。
【００１５】
そして、動画広告５１が表示されるタイミングで、本実施形態に係る端末装置２のディスプレイ２０上には、当該端末装置２が通信ネットワーク４を介して別途取得したネット広告である広告コンテンツ５２が再生表示される。すなわち、広告配信装置１は、端末装置２から広告コンテンツの配信要求を受け付けると、動画広告５１と同時に端末装置２に表示する広告コンテンツ５２を端末装置２に配信するのである。
【００１６】
動画広告５１と同時に表示されるかかる広告コンテンツ５２を、本実施形態では、例えば○△自動車に関連したネット広告の一つであるバナー広告としている。そして、図示するように、広告コンテンツ５２は、再生されている動画広告５１の上に重畳されて表示される。
【００１７】
また、本実施形態では、かかるネット広告である広告コンテンツ５２と、当該広告コンテンツ５２に関連するネット広告関連コンテンツ５３とをリンクさせている。例えば、前述したように、端末装置２がタッチパネルを有するスマートフォンなどの端末であれば、ユーザが、ディスプレイ２０上に表示された広告コンテンツ５２を、指Ｆでタップ操作すると、ディスプレイ２０上には、広告コンテンツ５２にリンクされたネット広告関連コンテンツ５３が表示される。
【００１８】
ネット広告関連コンテンツ５３は、例えば○△自動車のホームページにランディングページとして設定された新車発表会の告知ページなどであり、図示するように、発表会の期日や新車の試乗申込受付についての情報などが掲載されている。
【００１９】
なお、端末装置２のディスプレイ２０には、例えば、戻り操作ボタン１７などの各種ボタンが表示されており、ネット広告関連コンテンツ５３が表示されている際に、ユーザが戻り操作ボタン１７を操作すると、動画コンテンツ（ＴＶ番組）の表示に戻る。また、戻り操作ボタン１７に代えて、例えば、端末装置２の筐体に設けられた物理的なホームボタン１８に、戻り機能を割り付けることもできる。
【００２０】
このように、本実施形態に係る広告配信装置１によれば、端末装置２に対して、ＴＶ広告などの動画広告５１が開始されるタイミングで、例えば当該動画広告５１と関連したネット広告である広告コンテンツ５２を同時に表示させることができる。したがって、動画コンテンツを視聴するユーザに対し、動画広告５１と広告コンテンツ５２とによる相乗効果を期待することができ、訴求力の向上が期待できる。
【００２１】
また、図１に示すように、ＴＶ広告などの動画広告５１と重畳するように広告コンテンツ５２を配信することにより、ユーザは同一視野内で、両方を同時に視認することができる。そのため、動画広告５１と広告コンテンツ５２とによるより大きな相乗効果が期待できる。
【００２２】
なお、広告コンテンツ５２としては上述したバナー広告に限るものではなく、テキスト広告、アニメーション広告、動画広告など、いかなるものでも構わない。また、広告コンテンツ５２は、必ずしも動画広告５１と関連するものでなくても構わない。
【００２３】
［２．広告配信装置］
次に、実施形態に係る広告配信装置について、さらに具体的に説明する。図２は、実施形態に係る広告配信装置５００の構成例を示す説明図である。
【００２４】
図２に示すように、実施形態に係る広告配信装置５００を含む情報処理システムは、広告配信装置５００の他に、地上波などの全ＴＶ番組を録画可能な録画装置１０と、携帯端末２００と、ウェブサーバ３００と、ユーザ端末４００とを含む。なお、図示していないが、携帯端末２００やウェブサーバ３００やユーザ端末４００は、例えばインターネットなどの通信ネットワーク４にそれぞれ複数接続されている。
【００２５】
なお、携帯端末２００は、前述したように、スマートフォンなどの端末装置としているが、これに限定されるものではない。また、ユーザ端末４００は、ユーザによって利用されるＰＣ（Personal  Computer）やＰＤＡ（Personal  Digital  Assistant）などであり、液晶ディスプレイなどを有する表示部４１０を備える。そして、携帯端末２００およびユーザ端末４００は、図示しないブラウザアプリケーション（以下、ブラウザと記載する場合がある）を備える。なお、ブラウザは、予めインストールされた標準仕様のものでもよいし、ユーザが任意にインストールしたものでもよい。
【００２６】
録画装置１０は、第１通信部１３０と、第２通信部１４０と、制御部１５０と、録画部１６０と、記憶部１７０とを備える。
【００２７】
第１通信部１３０は、すべての地上波放送に対応する複数のＴＶチューナを備えており、各ＴＶチューナは、電波塔６００などから地上波ＴＶ放送を受信する。第２通信部１４０は、通信ネットワーク４を介して、携帯端末２００、ウェブサーバ３００、ユーザ端末４００、および広告配信装置５００と通信することができる。
【００２８】
制御部１５０は、ＣＰＵ（Central  Processing  Unit）やＭＰＵ（Micro  Processing  Unit）などによって、内部の記憶装置または記憶部１７０に記憶されている各種プログラムがＲＡＭ（Random  Access  Memory)を作業領域として実行されることにより実現される。また、制御部１５０は、例えば、ＡＳＩＣ（Application  Specific  Integrated  Circuit）やＦＰＧＡ（Field  Programmable  Gate  Array）等の集積回路により実現される。かかる制御部１５０は、第１通信部１３０、第２通信部１４０、および録画部１６０を制御して録画装置１０としての機能を実現する。
【００２９】
かかる録画装置１０は、第１通信部１３０で受信した全ての地上波ＴＶ放送を録画部１６０によって記憶部１７０に記憶させることができる。本実施形態に係る録画装置１０は、いわゆる「全録機」として機能するものであり、例えば一週間の間に放送されるすべてのチャンネルのすべての番組を録画することが可能である。したがって、ユーザは所望するときに所望する動画コンテンツを視聴できる。
【００３０】
携帯端末２００は、液晶パネルとタッチセンサを有するタッチパネル２６０（図５Ａおよび図５Ｂを参照）を備えている。そして、かかるタッチパネル２６０により、表示部としての機能と操作部としての機能の一部とが一体化される。なお、操作部の他の機能としては、例えば、ホームボタン１８（図１参照）や、電源ボタンやユーザの発話を受け付けるマイクなど（不図示）によって実現される。こうして、携帯端末２００は、ユーザからの各種操作を、操作部を介して受け付けることができる。
【００３１】
本実施形態に係る広告配信装置５００は、図示するように、通信部２１と、記憶部２２と、配信部２３と、制御部２４とを備える。
【００３２】
通信部２１は、通信ネットワーク４に接続されており、かかる通信ネットワーク４を介して録画装置１０、携帯端末２００、ウェブサーバ３００、およびユーザ端末４００と通信することができる。かかる通信部２１は、例えば、ＮＩＣ（Network  Interface  Card）等によって実現される。そして、通信部２１は、通信ネットワーク４を介して、録画装置１０や携帯端末２００やウェブサーバ３００やユーザ端末４００との間で情報の送受信を行う。
【００３３】
記憶部２２は、例えば、ＲＡＭ、フラッシュメモリ（Flash  Memory）などの半導体メモリ素子などの記憶装置によって実現される。かかる記憶部２２は、後述するネット広告テーブルや広告コンテンツ５２などを記憶する。
【００３４】
制御部２４は、例えば、ＣＰＵやＭＰＵなどによって、内部の記憶装置または記憶部２２に記憶されている各種プログラムがＲＡＭを作業領域として実行されることにより実現される。また、制御部２４は、例えば、ＡＳＩＣなどの集積回路により実現される。
【００３５】
かかる制御部２４は、受付部２４１と、選択部２４２とを備える。なお、制御部２４の内部構成は、図２に示した構成に限られず、後述する処理を行う構成であれば他の構成であってもよい。また、制御部２４が有する各処理部の接続関係は、図２に示した接続関係に限られず、他の接続関係であってもよい。
【００３６】
受付部２４１は、主コンテンツ１０１ａ，１０１ｂ・・（図３参照）と動画広告コンテンツ１１０とが含まれる動画コンテンツ１００を再生する端末装置（携帯端末２００やユーザ端末４００）からネット広告である広告コンテンツ５２の配信要求を受け付ける。
【００３７】
図３は、動画コンテンツの一例を示す説明図である。図示するように、動画コンテンツ１００は、主コンテンツ１０１ａ，１０１ｂ・・と動画広告コンテンツ１１０とが含まれている。また、各主コンテンツ１０１ａ，１０１ｂ・・および動画広告コンテンツ１１０の各開始時間および終了時間が記録されている。
【００３８】
動画コンテンツ１００は、例えば、録画装置１０で録画された複数の番組の中の一つであり、例えばドラマ番組であれば、ドラマ部分が主コンテンツ１０１ａ，１０１ｂ・・である。そして、図３に示すように、例えば、主コンテンツ１０１ａと主コンテンツ１０１ｂとの間に動画広告コンテンツ１１０が埋め込まれている。なお、動画広告コンテンツ１１０は、携帯端末２００やユーザ端末４００で表示される動画広告５１に対応するものであるが、必ずしも主コンテンツ間に設定されていなくてもよく、例えば、動画コンテンツ１００の冒頭部分に設定されていてよいし、最後の主コンテンツ１０１Ｘの後に設定されていてもよい。
【００３９】
図３に示す例では、動画広告コンテンツ１１０が、０５：００〜０５：３０の時間に対応付けられている。すなわち、動画広告コンテンツ１１０は、動画コンテンツ１００の表示開始から５分後に３０秒間表示される。
【００４０】
動画コンテンツ１００を再生表示している携帯端末２００やユーザ端末４００は、動画広告コンテンツ１１０が開始されるタイミングで、ネット広告である広告コンテンツ５２の配信要求（広告リクエスト）を送信する。配信要求には、動画広告５１に関連するメタデータが含まれている。そして、広告配信装置５００の受付部２４１は、かかる配信要求を受け付けることになる。
【００４１】
また、選択部２４２は、受付部２４１で受け付けられた広告リクエストに含まれるメタデータに関連したネット広告である広告コンテンツ５２を、図４Ａに示すネット広告テーブルなどを参照して選択する。そして、選択した広告コンテンツ５２を、例えば、ウェブサーバ３００などの配信サーバからリアルタイムに取得する。取得した広告コンテンツ５２は、配信部２３に受け渡される。
【００４２】
配信部２３は、配信要求を行った携帯端末２００やユーザ端末４００に対して、選択部２４２より選択された広告コンテンツ５２、すなわち、動画広告５１と同時に携帯端末２００やユーザ端末４００に表示する広告コンテンツ５２を配信する。
【００４３】
図４Ａは、ネット広告テーブルの一例を示す図である。図示するように、ネット広告テーブルには、動画広告コンテンツ１１０の動画広告ＩＤ、かかる広告のメタ情報、広告主、広告対象が商品であればその商品属性、ネット広告となる広告コンテンツが関連付けられて設定されている。広告のメタ情報には、広告内容や再生に要する時間などが設定される。また、商品属性には、例えば商品のカテゴリーなどが設定されている。
【００４４】
図４Ａにおいて、動画広告ＩＤが「ＣＭ００１」であり、広告主が「Ａ」で規定され、商品属性が「Ｚ１」で規定される場合、選択される広告コンテンツ５２は「ａ」となる。なお、本実施形態では、かかるネット広告テーブルなどのネット広告情報を広告配信装置５００が有するものとする。
【００４５】
また、ネット広告テーブルは、例えば、図４Ｂのようなものとしてもよい。図４Ｂは、ネット広告テーブルの他の例を示す図である。図示するように、ネット広告テーブルには、「動画コンテンツＩＤ」、「ＣＭ再生タイミング」、「ネット広告コンテンツＩＤ」が関連付けられて設定されている。
【００４６】
ここでは、ＣＭ再生タイミングとして、動画コンテンツ１００に含まれる動画広告コンテンツ１１０が表示される時間帯が設定されている。このネット広告テーブルの例では、動画コンテンツＩＤ：０００１に含まれる動画広告コンテンツ１１０は、例えば、００：００〜０１：３０の間と、１５：１５〜１５：３０の間と、１５：３１〜１６：００の間に設定されているものが含まれていることが分かる。
【００４７】
「ネット広告コンテンツＩＤ」としては、動画広告コンテンツ１１０と同時に表示部２８へ表示する広告コンテンツ５２（図５Ａ参照）が種類分けされている。例えば、動画コンテンツＩＤに含まれる動画広告コンテンツ１１０と同一商品の広告コンテンツ、動画コンテンツＩＤに含まれる動画広告コンテンツ１１０と同一広告主の広告コンテンツ、動画コンテンツＩＤに含まれる動画広告コンテンツ１１０の対象商品を販売している他の販売会社（例えば小売店など）の広告コンテンツ、動画コンテンツＩＤに含まれる動画広告コンテンツ１１０に関連する商品の広告コンテンツなどである。
【００４８】
図４Ｂにおいて、ネット広告コンテンツＩＤが「ＡＡＡ１」に対応する広告コンテンツは、動画広告コンテンツ１１０が表示される００：００〜０１：３０の時間帯に合わせて配信されるもので、広告内容としては動画広告コンテンツ１１０の商品と同一商品に関するネット広告である。また、例えば、ネット広告コンテンツＩＤが「ＢＢＸ１」に対応する広告コンテンツであれば、動画広告コンテンツ１１０が表示される１５：１５〜１５：３０の時間帯に合わせて配信されるためのもので、広告内容としては動画広告コンテンツ１１０と同一広告主のネット広告である。さらに、例えば、ネット広告コンテンツＩＤが「ＣＸＣ１」に対応する広告コンテンツであれば、動画広告コンテンツ１１０が表示される１５：３１〜１６：００の時間帯に合わせて配信されるためのもので、広告内容としては動画広告コンテンツ１１０で扱っている商品を販売する小売店を広告主とするネット広告である。
【００４９】
動画コンテンツ１００に、動画広告コンテンツＩＤとメタ情報が含まれている場合であれば、図４Ｂに示すネット広告テーブルを用いれば、容易に広告コンテンツ５２を選択して配信することができる。
【００５０】
上述してきたように、携帯端末２００やユーザ端末４００から広告リクエスト（配信要求）が広告配信装置５００に送信されると、広告配信装置５００は、上述したネット広告テーブルに基づいて、動画広告５１と同時に携帯端末２００などのディスプレイ２０やユーザ端末４００の表示部４１０に表示すべき広告コンテンツ５２を配信する。
【００５１】
そして、動画広告５１と広告コンテンツ５２との関連付けを、ネット広告テーブルなどを用いてマッチングさせることにより、ユーザに対してより適切な広告コンテンツ５２の配信が可能となる。
【００５２】
このように、そして、動画広告５１と関連する広告コンテンツ５２を、動画広告５１と同時に表示部２８へ表示させることで、動画広告５１と広告コンテンツ５２との相乗効果を期待することができる。
【００５３】
また、例えば携帯端末２００における広告コンテンツ５２の表示態様としては、図５Ａおよび図５Ｂに示すような態様とすることができる。図５Ａおよび図５Ｂは、広告コンテンツ５２の表示形態の一例を示す説明図である。かかる表示態様は、例えば、携帯端末２００側の動画アプリなどで設定されるようにするとよい。また、広告コンテンツ５２のサイズや形状などを含む表示態様は適宜設定できるものであって、図５Ａ，５Ｂに示される態様に限定されるものではない。
【００５４】
図５Ａに示す広告コンテンツ５２の表示態様は、携帯端末２００のタッチパネル２６０において、動画広告５１の表示領域に隣接した領域に表示するものである。すなわち、広告配信装置５００の制御部２４は、主コンテンツ１０１ａ，１０１ｂ・・の動画についてはタッチパネル２６０の全表示領域で表示できるように配信する。そして、動画広告コンテンツ１１０である動画広告５１が表示されるタイミングになると、携帯端末２００では、タッチパネル２６０の表示領域が所定の広さに設定された第１の表示領域２２１と、この第１の表示領域２２１の直下に隣接する帯状の第２の表示領域２２２とに区画する。そして、この第２の表示領域２２２にネット広告である広告コンテンツ５２が表示されるように制御する。
【００５５】
なお、図５Ａに示す例では、第１の表示領域２２１には、○△自動車の動画広告５１が表示され、同時に、第１の表示領域２２１の直下に区画された第２の表示領域２２２に、動画広告５１と同一の商品を広告対象とした広告コンテンツ５２が表示される。この広告コンテンツ５２は、図４Ｂに照らせば、例えば、ネット広告コンテンツＩＤ「ＡＡＡ１」で特定されるネット広告である。
【００５６】
なお、表示領域を区画する場合、動画広告５１が表示されるタイミングで表示領域を区画するのではなく、予め、動画コンテンツ１００を表示する第１の表示領域２２１と広告コンテンツ５２を表示する第２の表示領域２２２とに区画して表示するようにしてもよい。
【００５７】
この場合、第１の表示領域２２１で主コンテンツ１０１ａ，１０１ｂ・・である動画が表示されている場合、第２の表示領域２２２には、他の情報を表示したりすることができる。例えば、携帯端末２００がメールなどを受信した場合、第２の表示領域２２２にその通知を表示したり、ユーザの操作に応じてメール本文などを含むテキスト情報を表示したりすることができる。
【００５８】
また、携帯端末２００で動画コンテンツ１００を視聴する場合、図５Ｂに示すように、携帯端末２００を縦にして利用することもある。図５Ｂに示す例では、タッチパネル２６０の表示領域が、動画広告５１を含む動画コンテンツ１００を表示する第１の表示領域２２１と、広告コンテンツ５２０，５２１，５２２を表示する複数の第２の表示領域２２２に区画されている。
【００５９】
すなわち、図示するように、タッチパネル２６０の表示領域は、上部に広い領域である第１の表示領域２２１が生成され、その下方に、３つの上段表示領域２２ａ、中段表示領域２２ｂ、下段表示領域２２ｃに区画された第２の表示領域２２２が生成されている。
【００６０】
第１の表示領域２２１には、動画コンテンツ１００が表示される。よって、これに含まれる動画広告５１についても、図示するように第１の表示領域２２１に表示される。ここでも動画広告５１は○△自動車の広告としている。他方、複数の第２の表示領域２２２には、それぞれ異なる広告コンテンツ５２０，５２１，５２２が表示されるようになっている。
【００６１】
例えば、上段表示領域２２ａには、動画広告５１と同一広告主の広告コンテンツ５２０が表示され、中段表示領域２２ｂには、動画広告５１で広告対象商品と関連する商品の広告コンテンツ５２１が、下段表示領域２２ｃには、例えば、動画広告５１の広告主である○△自動車の傘下にあるディーラの広告コンテンツ５２２などが表示される。
【００６２】
第２の表示領域２２２において、動画広告５１と同時に表示される各広告コンテンツ５２０，５２１，５２２は、これらについても、図４Ａや図４Ｂに示すネット広告テーブルに関連付けられたものとすることができる。
【００６３】
また、前述したように、広告コンテンツ５２，５２０，５２１，５２２は、関連するネット広告関連コンテンツ５３とリンクさせておくことができる。ユーザが、タッチパネル２６０上に表示された広告コンテンツ５２，５２０，５２１，５２２を指Ｆでタップすると、同じ第２の表示領域２２２に、リンクされたネット広告関連コンテンツ５３が表示される（図１参照）。
【００６４】
このように、第１の表示領域２２１には動画広告５１を表示し、これに隣接する第２の表示領域２２２に広告コンテンツ５２を表示すれば、動画広告５１と広告コンテンツ５２の画像同士が重なることがなく、ユーザは、いずれの広告も美しく視聴することができる。
【００６５】
なお、前述したように、広告コンテンツ５２，５２０，５２１，５２２は、関連するネット広告関連コンテンツ５３とリンクさせておくことができる。ユーザが、タッチパネル２６０上に表示された広告コンテンツ５２，５２０，５２１，５２２を指Ｆでタップすると、同じ第２の表示領域２２２に、リンクされたネット広告関連コンテンツ５３が表示される（図１参照）。
【００６６】
ところで、動画コンテンツ１００としては、録画されたコンテンツ、あるいはオンデマンドで配信されるコンテンツの方が好ましい。すなわち、例えば、広告コンテンツ５２，５２０，５２１，５２２を、ネット広告関連コンテンツ５３などにリンクさせている場合には、録画されたコンテンツ、あるいはオンデマンドで配信されるコンテンツであれば、ネット広告関連コンテンツ５３が表示される際に動画コンテンツ１００の表示を一時停止することができる。また、ネット広告関連コンテンツ５３の表示が終了するか、ユーザによる「戻る」操作などがなされた場合、動画コンテンツ１００の表示を再開させることも容易に行うことができる。
【００６７】
［３．情報処理装置の処理フロー］
ここで、実施形態に係る広告配信装置５００による情報処理の手順について、図６を参照して説明する。図６は、実施形態に係る情報処理装置の処理の一例を示すフローチャートである。なお、図６に示す情報処理は、広告配信装置５００の制御部２４によって繰り返し実行される。
【００６８】
図６に示すように、広告配信装置５００の制御部２４は、先ず、端末装置などから広告コンテンツ５２のリクエスト（配信要求）が有ったか否かを判定し、配信要求があれば（ステップＳ１００：Ｙｅｓ）、処理をステップＳ１１０に移し、配信要求がない場合（ステップＳ１００：Ｎｏ）、処理を終える。
【００６９】
続いて制御部２４は、配信要求に含まれる動画広告５１のメタ情報を解析する（ステップＳ１１０）。そして、制御部２４は、動画広告５１と関連する広告コンテンツ５２（ネット広告）を選択する（ステップＳ１２０）。すなわち、制御部２４の選択部２４２は、ネット広告テーブルを参照し、動画広告５１と関連する広告コンテンツ５２を選択して配信部２３に受け渡す。
【００７０】
そして、制御部２４は、広告コンテンツ５２を、配信要求してきた端末装置に配信し（ステップＳ１３０）、処理を終える。すなわち、制御部２４は、携帯端末２００のタッチパネル２６０上に、ステップＳ１２０で選択した広告コンテンツ５２を、動画広告５１と同時に表示する（図１、図５Ａおよび図５Ｂを参照）。
【００７１】
広告配信装置５００によりかかる処理がなされると、端末装置（例えば、携帯端末２００）では、動画広告５１と広告コンテンツ５２とが同時に再生表示される。
【００７２】
ところで、動画広告５１と広告コンテンツ５２との表示は、厳密に同期していなくても構わない。少なくとも、動画広告５１が再生されている間にネット広告である広告コンテンツ５２が表示されればよい。
【００７３】
［４．他の実施形態］
ここで、実施形態に係る情報処理について説明する。すなわち、上述してきた例では、主コンテンツ１０１ａ、１０１ｂ・・と動画広告コンテンツ１１０とが含まれる動画コンテンツ１００を再生する端末装置から広告コンテンツ５２の配信要求を受け付けた広告配信装置５００が、配信要求を行った端末装置に対して、動画広告５１と同時に端末装置に表示する広告コンテンツ５２を端末装置に配信するものであった。
【００７４】
しかし、端末装置を情報処理装置として、端末装置側において、動画広告５１と広告コンテンツ５２とを同時に表示する処理を行うこともできる。図７は、他の実施形態に係る情報処理装置の構成例を示す説明図である。なお、以下において、図２と重複する構成については説明を省略する。
【００７５】
図７に示す情報処理システムにおいて、情報処理装置として機能する携帯端末２００は、前述したように、スマートフォンなどの端末装置とするが、これに限定されるものではない。かかる携帯端末２００は、図示するように、制御部２５と、通信部２６と、記憶部２７と、表示部２８と、操作部２９とを備える。
【００７６】
通信部２６は、通信ネットワーク４に接続されており、かかる通信ネットワーク４を介して録画装置１０、ウェブサーバ３００、ユーザ端末４００および広告配信装置５００と通信することができる。
【００７７】
通信部２６は、例えば、ＮＩＣ（Network  Interface  Card）等によって実現される。そして、通信部２６は、通信ネットワーク４と例えば無線で接続され、録画装置１０やウェブサーバ３００、あるいは広告配信装置５００との間で情報の送受信を行う。
【００７８】
記憶部２７は、例えば、ＲＡＭ、フラッシュメモリ（Flash  Memory）等の半導体メモリ素子などの記憶装置によって実現される。かかる記憶部２７は、通話アプリや、ブラウザアプリケーションや、後述する動画再生アプリケーション（以下「動画アプリ」とする）など、様々なアプリケーションを記憶する。また、記憶部２７は、動画アプリにより取得した動画コンテンツや広告コンテンツなども記憶する。
【００７９】
また、携帯端末２００は、液晶パネルとタッチセンサを有するタッチパネル２６０（図５Ａおよび図５Ｂを参照）を備えている。そして、かかるタッチパネル２６０により、表示部２８としての機能と操作部２９としての機能の一部とが一体化される。なお、操作部２９の他の機能としては、例えば、ホームボタン１８（図１参照）や、電源ボタンやユーザの発話を受け付けるマイクなど（不図示）によって実現される。こうして、携帯端末２００は、ユーザからの各種操作を、操作部２９を介して受け付けることができる。
【００８０】
制御部２５は、例えば、ＣＰＵやＭＰＵなどによって、内部の記憶装置または記憶部２７に記憶されている各種プログラムがＲＡＭを作業領域として実行されることにより実現される。また、制御部２５は、例えば、ＡＳＩＣなどの集積回路により実現される。
【００８１】
かかる制御部２５は、動画取得部２１０と、ネット広告取得部２２０と、処理部２３０とを備える。かかる処理部２３０は、動画再生処理部２４０と広告表示処理部２５０とを備え、以下に説明する情報処理の機能や作用を実現または実行する。なお、制御部２５の内部構成は、図２に示した構成に限られず、後述する情報処理を行う構成であれば他の構成であってもよい。また、制御部２５が有する各処理部の接続関係は、図２に示した接続関係に限られず、他の接続関係であってもよい。
【００８２】
動画取得部２１０は、操作部２９の操作に応じて動画コンテンツ１００を取得する。すなわち、本実施形態では、動画取得部２１０は、有線または無線によって外部から取得して記憶する録画装置１０から、ユーザ操作に応じて動画コンテンツ１００を取得することになる。
【００８３】
ネット広告取得部２２０は、動画コンテンツ１００に含まれた動画広告コンテンツ１１０と同じタイミングで表示するネット広告である広告コンテンツ５２を、通信ネットワーク４を介して広告配信装置５００から取得する。
【００８４】
例えば、動画取得部２１０により取得された動画コンテンツ１００に、コンテンツＩＤをはじめとするタイトル情報や主コンテンツ部分の時間情報、および動画広告コンテンツ１１０に関する情報が含まれているとする。本実施形態では、かかる情報が関連付けられたネット広告情報を広告配信装置５００が有するものとする。
【００８５】
ネット広告取得部２２０は、動画取得部２１０が取得した動画コンテンツ１００のコンテンツＩＤを広告配信装置５００に送信する。コンテンツＩＤを受信した広告配信装置５００は、動画コンテンツ１００に含まれる動画広告コンテンツ１１０と同時に配信される広告コンテンツ５２を決定して携帯端末２００に送信する。
【００８６】
このように、ネット広告取得部２２０から動画コンテンツ１００のコンテンツＩＤが広告配信装置５００に送信されると、広告配信装置５００は、上述したネット広告テーブルに（図４Ａおよび図４Ｂを参照）基づいて、動画広告コンテンツ１１０と同時に携帯端末２００の表示部２８に表示すべきネット広告を決定して送信する。
【００８７】
ところで、動画広告コンテンツ１１０とネット広告である広告コンテンツ５２との関連付けは、例えば、携帯端末２００側から送られる動画広告コンテンツ１１０のメタデータと、ネット広告に含まれる広告文のタイトルと説明文の情報との関連性に基づいて設定することができる。そして、広告表示処理部２５０は、動画広告５１と同時に表示部２８へ表示する広告を、動画広告５１と関連する広告コンテンツ５２とすることができる。
【００８８】
上述したように、動画広告５１と広告コンテンツ５２との関連付けを、例えば、動画広告５１と同じ広告主の広告コンテンツ５２、および／または、動画広告５１と同じ広告対象となる商品の広告コンテンツ５２を準備しておけば、より適切な広告コンテンツ５２の配信が可能となる。
【００８９】
このように、動画広告５１と関連する広告コンテンツ５２を動画広告５１と同時に表示部２８へ表示するようにすれば、動画広告５１と広告コンテンツ５２との相乗効果がさらに高まることが期待できる。
【００９０】
図７に示すように、処理部２３０は、動画再生処理部２４０と広告表示処理部２５０とを備えており、動画再生処理部２４０は、動画取得部２１０が取得した、動画広告コンテンツ１１０が含まれる動画コンテンツ１００を、表示部２８に再生表示する処理を実行する。
【００９１】
一方、広告表示処理部２５０は、ネット広告取得部２２０が通信ネットワーク４を介して取得した広告コンテンツ５２を、表示部２８に表示中の動画広告コンテンツ１１０と同時に表示部２８に表示する処理を実行する。
【００９２】
このとき、広告表示処理部２５０は、表示部２８における動画広告５１の表示領域上に広告コンテンツ５２を表示するのであるが、その表示態様は、例えば、図１に示したように、動画広告５１と広告コンテンツ５２とを重畳表示することができる。
【００９３】
また、この場合も、広告コンテンツ５２の表示態様としては、図５Ａおよび図５Ｂに示すような態様であっても構わない。
【００９４】
［４−１．携帯端末２００よる処理フロー］
ここで、実施形態に係る情報処理装置である携帯端末２００による情報処理の手順について、図８Ａ〜図８Ｃを参照して説明する。図８Ａは、実施形態に係る情報処理装置の処理の一例を示すフローチャート、図８Ｂは、ネット広告取得処理の一例を示すフローチャート、図８Ｃは、ネット広告関連コンテンツ表示処理の一例を示すフローチャートである。なお、図８Ａに示す情報処理は、携帯端末２００の制御部２５によって繰り返し実行される。
【００９５】
図８Ａに示すように、情報処理装置としての携帯端末２００の制御部２５は、先ず、選択された動画コンテンツ１００を再生する（ステップＳ１０）。すなわち、動画取得部２１０によって、例えば録画装置１０の録画部１６０から通信ネットワーク４を介して取得された所定の動画コンテンツ１００が、動画再生処理部２４０によって表示部２８に表示される。
【００９６】
続いて制御部２５は、ネット広告取得タイミングか否かを判定する（ステップＳ２０）。例えば、動画コンテンツ１００に含まれる動画広告５１が開始される所定時間前になったか否かを判定する。動画広告５１の開始時間は、動画コンテンツ１００に含まれる情報により制御部２５が把握している。
【００９７】
制御部２５は、ネット広告取得タイミングではないと判定すると（ステップＳ２０：Ｎｏ）、処理をステップＳ４０に移す。他方、ステップＳ２０において、ネット広告取得タイミングであると判定すると（ステップＳ２０：Ｙｅｓ）、制御部２５は、ネット広告コンテンツを取得する（ステップＳ３０）。
【００９８】
ステップＳ３０の処理を図８Ｂに示す。図示するように、制御部２５は、動画広告５１のＩＤを取得する（ステップＳ３１）。すなわち、動画コンテンツ１００には、予め設定情報の一つとして動画コンテンツＩＤが含まれており、制御部２５は、かかるＩＤを取得して広告配信装置５００（図２参照）に送信する処理を行う。
【００９９】
次いで、制御部２５は、動画広告５１と関連するネット広告コンテンツ、すなわち広告コンテンツ５２を取得する（ステップＳ３２）。すなわち、制御部２５は、動画コンテンツＩＤの送信先である広告配信装置５００が、かかる動画コンテンツＩＤに基づいて決定し、送信してきた広告コンテンツ５２を受信する。制御部２５は、ネット広告取得部２２０により受信した広告コンテンツ５２を、広告表示処理部２５０に引き渡してこの処理を終了し、図８ＡのステップＳ４０に戻る。
【０１００】
図８Ａに示すステップＳ４０では、制御部２５は、動画広告開始タイミングが否かを判定する。動画広告開始タイミングではないと判定すると（ステップＳ４０：Ｎｏ）、処理をステップＳ６０に移す。他方、動画広告５１の開始時間が到来し、動画広告開始タイミングであると判定した場合（ステップＳ４０：Ｙｅｓ）、制御部２５は、ネット広告コンテンツを表示する（ステップＳ５０）。すなわち、制御部２５は、携帯端末２００のタッチパネル２６０上に、ステップＳ３０で取得した広告コンテンツ５２を、動画広告５１と同時に表示する（図１、図５Ａおよび図５Ｂを参照）。
【０１０１】
また、本実施形態では、制御部２５は、ステップＳ５０においてネット広告である広告コンテンツ５２を表示すると、次いで、タップ操作があるか否かを判定する（ステップＳ６０）。すなわち、ここでは、広告コンテンツ５２と、この広告コンテンツ５２に関連したネット広告関連コンテンツ５３とをリンクさせている。よって、タッチパネル２６０上に表示された広告コンテンツ５２を、ユーザが指Ｆでタップ操作したと判定すると（ステップＳ６０：Ｙｅｓ）、ステップＳ７０に処理を移し、ネット広告関連コンテンツ５３を表示する。一方、タップ操作がないと判定すると（ステップＳ６０：Ｎｏ）、制御部２５は処理をステップＳ８０に移す。
【０１０２】
図８Ｃにネット広告関連コンテンツ表示処理の一例を示す。制御部２５は、図８Ｃに示すように、動画コンテンツ１００の再生を一時停止する（ステップＳ７１）。すなわち、タッチパネル２６０上には、ネット広告関連コンテンツ５３が表示されるとユーザは動画コンテンツ１００の視聴ができなくなるため（図１参照）、動画コンテンツ１００の再生を中断するのである。
【０１０３】
続いて、制御部２５は、ネット広告関連コンテンツ５３をタッチパネル２６０上に表示し（ステップＳ７２）、制御部２５は、所定操作があるまで待機する。ここで、所定操作とは、例えば、戻り操作ボタン１７などの操作である。所定操作がなされた場合（ステップＳ７３：Ｙｅｓ）、制御部２５は、動画コンテンツ１００の一時停止状態を解除して動画コンテンツ１００の動画表示を再開し（ステップＳ７４）、処理を図８ＡのステップＳ８０に戻す。
【０１０４】
こうして、例えば、動画コンテンツ１００に含まれた動画広告５１と、これと同時に表示される広告コンテンツ５２とによって、例えばユーザが広告商品などに関心をもつと、ネット広告関連コンテンツ５３までほぼ時を同じくして閲覧することができる。そして、例えばネット広告関連コンテンツ５３が、商品購入ページを含むランディングページなどであれば、場合によってはその場での商品購入に結び付けることができ、広告主にとっても有益な広告配信が実現する。
【０１０５】
図８Ａに戻り、ステップＳ７０のネット広告関連コンテンツ表示処理が終了すると、制御部２５は、広告終了タイミングか否かを判定する（ステップＳ８０）。すなわち、動画広告５１が予め定められた時間だけ再生されたか否かを判定し、広告終了タイミングになると（ステップＳ８０：Ｙｅｓ）、広告コンテンツ５２を消去してネット広告コンテンツの表示を終える（ステップＳ９０）。また、広告終了タイミングでない場合（ステップＳ８０：Ｎｏ）、制御部２５は図８Ａの処理を繰り返す。
【０１０６】
このように、この場合でも広告コンテンツ５２の表示は、動画広告５１の表示と同期しているが、動画広告５１と広告コンテンツ５２との表示は、厳密に同期していなくても構わない。少なくとも、動画広告５１が再生されている間にネット広告である広告コンテンツ５２が表示されればよい。
【０１０７】
［５．変形例］
上述した実施形態では、ＴＶ広告などの動画広告５１とネット広告としての広告コンテンツ５２とを同時に表示する情報処理装置として、広告配信装置５００と携帯端末２００を例示して説明した。しかし、動画コンテンツに含まれる動画広告５１と、ネット広告である広告コンテンツ５２とを同時に表示することができればよいため、例えば、録画装置１０なども情報処理装置として機能することができる。
【０１０８】
また、動画コンテンツ１００としては、必ずしも録画された動画コンテンツ１００でなくてもよく、携帯端末２００やユーザ端末４００は、例えば、有線または無線によって外部からストリーミング配信によって動画コンテンツ１００を取得することもできる。
【０１０９】
すなわち、図２を用いて説明したように、例えば携帯端末２００は、通信ネットワーク４を介してウェブサーバ３００と通信可能である。したがって、ウェブサーバ３００から所定の動画コンテンツ１００をストリーミング配信で受信し、動画コンテンツ１００に含まれる動画広告５１の表示タイミングに合わせて、広告コンテンツ５２を同時に表示させることもできる。
【０１１０】
このように、動画コンテンツ１００を有線または無線によって外部からストリーミング配信によって取得可能とすれば、ユーザはオンデマンドで所望する動画コンテンツ１００を視聴できる。
【０１１１】
また、上述してきた実施形態では、コンテンツＩＤや動画タイトル情報や動画コンテンツ１００の主コンテンツ部分の時間情報、さらには動画広告コンテンツ１１０に関する情報などが含まれる情報（例えば、図４Ａ，図４Ｂに示したネット広告テーブル）を広告配信装置５００が有するものとした。
【０１１２】
しかし、ネット広告テーブルなどの情報は、必ずしも広告配信装置５００のみが備える必要はない。かかる情報を、所定のウェブサーバ３００が備えるようにしてもよい。すなわち、例えば、携帯端末２００の制御部２５は、先ず、所定のウェブサーバ３００に動画コンテンツＩＤを送信する。そして、動画広告５１と同時に配信する広告コンテンツ５２をウェブサーバ３００に決定させて、これを規定するネット広告ＩＤを送信させる。そして、ウェブサーバ３００から取得したネット広告ＩＤを広告配信装置５００に送信し、ネット広告ＩＤに応じた広告コンテンツ５２を広告配信装置５００から取得することもできる。
【０１１３】
また、ネット広告テーブルなどの情報を、携帯端末２００が備えておき、携帯端末２００側で、動画広告５１と同時に配信する広告コンテンツ５２を決定してもよい。
【０１１４】
［６．プログラム］
実施形態における情報処理装置としての広告配信装置５００や、携帯端末２００、さらにはユーザ端末４００は、例えば、図９に示すような構成のコンピュータ７０によって実現される。図９は、広告配信装置５００などの機能を実現するコンピュータの一例を示すハードウェア構成図である。コンピュータ７０は、ＣＰＵ７１、ＲＡＭ７２、ＲＯＭ（Read  Only  Memory）７３、ＨＤＤ（Hard  Disk  Drive）７４、通信インターフェース（Ｉ／Ｆ）７５、入出力インターフェース（Ｉ／Ｆ）７６、およびメディアインターフェース（Ｉ／Ｆ）７７を備える。
【０１１５】
ＣＰＵ７１は、ＲＯＭ７３またはＨＤＤ７４に格納されたプログラムに基づいて動作し、各部の制御を行う。ＲＯＭ７３は、コンピュータ７０の起動時にＣＰＵ７１によって実行されるブートプログラムや、コンピュータ７０のハードウェアに依存するプログラム等を格納する。
【０１１６】
ＨＤＤ７４は、ＣＰＵ７１によって実行されるプログラムおよび当該プログラムによって使用されるデータ等を格納する。通信インターフェース（Ｉ／Ｆ）７５は、通信部２１に対応し、通信ネットワーク４を介して他の機器からデータを受信してＣＰＵ７１へ送り、ＣＰＵ７１が生成したデータを、通信ネットワーク４を介して他の機器へ送信する。
【０１１７】
ＣＰＵ７１は、入出力インターフェース（Ｉ／Ｆ）７６を介して、ディスプレイやプリンタ等の出力装置、および、キーボードやマウス等の入力装置を制御する。ＣＰＵ７１は、入出力インターフェース７６を介して、入力装置からデータを取得する。また、ＣＰＵ７１は、生成したデータを、入出力インターフェース７６を介して出力装置へ出力する。
【０１１８】
メディアインターフェース（Ｉ／Ｆ）７７は、記録媒体７８に格納されたプログラムまたはデータを読み取り、ＲＡＭ７２を介してＣＰＵ７１に提供する。ＣＰＵ７１は、当該プログラムを、メディアインターフェース７７を介して記録媒体７８からＲＡＭ７２上にロードし、ロードしたプログラムを実行する。記録媒体７８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１９】
コンピュータ７０が情報処理装置として機能する場合、コンピュータ７０のＣＰＵ７１は、ＲＡＭ７２上にロードされたプログラムを実行することにより、動画取得部２１０、ネット広告取得部２２０、動画再生処理部２４０、および広告表示処理部２５０の各機能を実現する。また、ＨＤＤ７４やＲＯＭ７３は、記憶部２２の機能を実現し、動画アプリや通話アプリなどの各種アプリや、動画アプリにより取得した動画コンテンツ１００やネット広告取得部２２０により取得した広告コンテンツ５２なども格納される。
【０１２０】
コンピュータ７０のＣＰＵ７１は、これらのプログラムを、記録媒体７８から読み取って実行するが、他の例として、他の装置から、通信ネットワーク４を介してこれらのプログラムを取得してもよい。また、情報処理装置がスマートフォンなどであればＨＤＤ７４は備えない場合がある。
【０１２１】
［７．効果］
実施形態にかかる情報処理装置は、主コンテンツ１０１ａ，１０１ｂ・・と動画広告５１とが含まれる動画コンテンツ１００を再生する端末装置（携帯端末２００やユーザ端末４００など）から広告コンテンツ５２の配信要求を受け付ける受付部２４１と、配信要求を行った端末装置に対して、動画広告５１と同時に端末装置に表示する広告コンテンツ５２を端末装置に配信する配信部２３とを備える。
【０１２２】
したがって、ＴＶ広告などの動画広告５１とネット広告である広告コンテンツ５２とによる相乗効果が期待できる。
【０１２３】
また、配信部２３は、動画広告５１と関連する広告コンテンツ５２を端末装置に配信する。
【０１２４】
これにより、動画広告５１と、これに関連する広告コンテンツ５２とをユーザに同時に視認させることができるため、動画広告５１と広告コンテンツ５２との相乗効果をさらに高め、広告としての訴求力の向上が期待できる。
【０１２５】
また、配信部２３が受け付ける配信要求には、動画広告５１に関連付けられた情報が含まれ、配信部２３は、動画広告５１に関連付けられた情報に基づいて選択した広告コンテンツ５２を配信する。
【０１２６】
これにより、広告配信装置１，５００は、端末装置からのリクエストに応じて、ＴＶ広告などの動画広告５１に関連した、より適切な広告コンテンツ５２を選択して配信することができる。
【０１２７】
また、配信部２３が受け付ける配信要求には、動画コンテンツ１００に関連付けられた情報が含まれ、配信部２３は、動画コンテンツ１００に関連付けられた情報に基づいて選択した広告コンテンツ５２を配信する。
【０１２８】
これにより、広告配信装置１，５００は、端末装置からのリクエストに応じて、ＴＶ番組などである動画コンテンツ１００に関連した、ユーザの興味や関心にマッチした適切な広告コンテンツ５２を選択して配信することができる。
【０１２９】
また、広告コンテンツ５２は、端末装置における動画広告５１の表示領域上に表示される広告コンテンツである。
【０１３０】
これにより、ユーザは、動画広告５１と広告コンテンツ５２とを略同一視野の中で観ることができ、相乗効果を期待することができる。
【０１３１】
また、広告コンテンツ５２は、端末装置における動画広告の表示領域に隣接した領域に表示される広告コンテンツである。例えば、第１の表示領域２２１には動画広告５１が表示され、これに隣接する第２の表示領域２２２に広告コンテンツ５２が表示される。
【０１３２】
これにより、動画広告５１と広告コンテンツ５２の画像同士が重なることがなく、ユーザは、いずれの広告も美しく視聴することができる。
【０１３３】
また、動画コンテンツ１００は、動画広告５１が予め埋め込まれている。
【０１３４】
これにより、例えば、動画コンテンツ１００が、例えば録画されたテレビ番組などであっても、動画広告５１と広告コンテンツ５２との同時表示が行える。
【０１３５】
［８．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３６】
また、上述してきた「部（section、module、unit）」は、「手段」や「回路」などに読み替えることができる。例えば、受付部は、受付手段や受付回路に読み替えることができる。
【０１３７】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【符号の説明】
【０１３８】
１，５００  広告配信装置
２  端末装置
４  通信ネットワーク
２１  通信部
２２  記憶部
２３  配信部
２４  制御部
１００  動画コンテンツ
１０１ａ，１０１ｂ  主コンテンツ
１１０  動画広告コンテンツ
２００  携帯端末
２４１  受付部
２４２  選択部
【図１】
2018201213.tif 000003
【図２】
2018201213.tif 000004
【図３】
2018201213.tif 000005
【図４Ａ】
2018201213.tif 000006
【図４Ｂ】
2018201213.tif 000007
【図５Ａ】
2018201213.tif 000008
【図５Ｂ】
2018201213.tif 000009
【図６】
2018201213.tif 000010
【図７】
2018201213.tif 000011
【図８Ａ】
2018201213.tif 000012
【図８Ｂ】
2018201213.tif 000013
【図８Ｃ】
2018201213.tif 000014
【図９】
2018201213.tif 000015